(57)【要約】【課題】  包装袋供給装置に対して包装袋を一群ずつ自動的に補給することができ、作業者の労力の軽減化に寄与する包装袋の補給方法を提供すること。【解決手段】  一群の包装袋を倒して積み重ねるように載置することができる多数のマガジンと、セット位置にて上下方向に所定間隔をおいて保持するマガジンを下方へ順次移動させる第１移動手段と、第１移動手段の最下位に移動したマガジンを水平方向に移送する移送手段と、移送手段により送り込まれるマガジンを上方へ順次移動させる第２移動手段と、第２移動手段により最上位に送り込まれたマガジンに載置された一群の包装袋を包装袋供給装置のベルトコンベア上に貯留される包装袋の最後尾に接続するように供給する送り込み手段と、包装袋を供給した後の空マガジンをセット位置まで帰還させる回送手段とを備え、包装袋供給装置に対して包装袋を一群ずつ自動的に補給するようにした。【選択図】  図２
2006347585.tif 000002
【特許請求の範囲】
【請求項１】
包装袋供給装置のベルトコンベア上に一群の包装袋を自動的に補給する包装袋の補給方法において、
一群の包装袋を長手方向に倒して積み重ねるように載置することができる多数のマガジンと、セット位置にて該マガジンを上下方向に所定間隔をおいて保持することができると共に一群の包装袋が載置された各マガジンを下方へ順次移動させる第１移動手段と、その第１移動手段の最下位に移動したマガジンを水平方向に移送する移送手段と、その移送手段により送り込まれるマガジンを上方へ順次移動させる第２移動手段と、供給位置にて該第２移動手段により最上位に送り込まれたマガジンに載置された一群の包装袋の一側縁を押え部材によって挟持すると共に当該押え部材により挟持された包装袋を前記包装袋供給装置のベルトコンベア上に貯留される包装袋の最後尾に接続するように供給する送り込み手段と、包装袋を供給した後の空マガジンを前記セット位置まで帰還させる回送手段とを備え、前記セット位置にて一群の包装袋を第１移動手段に待機する空マガジンに載置し、その第１移動手段により最下位に移動したマガジンを移送手段によって第２移動手段まで移送し、その第２移動手段により最上位に送り込まれたマガジン内の一群の包装袋を送り込み手段によって前記ベルトコンベア上に貯留される包装袋の最後尾に接続するように供給し、ついで、包装袋が供給された後の空マガジンを回送手段により元のセット位置まで帰還させて第１移動手段により最上位に保持させることを特徴とする包装袋供給装置への包装袋の補給方法。
【請求項２】
前記マガジンは、前記包装袋の幅方向を規制する左右一対の案内片の一方を起立及び倒伏自在に設けられ、その案内片を倒伏させた状態にて前記送り込み手段の押え部材によって包装袋の一側縁を挟持させることを特徴とする請求項１に記載の包装袋供給装置への包装袋の補給方法。
【請求項３】
前記包装袋がチャック付包装袋又はスパウト袋であり、かつ、多数の一群ずつまとめられたチャック付包装袋又はスパウト袋を通い箱に収容し、その通い箱からチャック付包装袋又はスパウト袋を一群ずつ取り出して前記マガジンに載置することを特徴とする請求項１又は２に記載の包装袋供給装置への包装袋の補給方法。
【発明の詳細な説明】
【技術分野】
【０００１】
本発明は、コンベア式包装袋供給装置に一度に多数の包装袋を自動的に補給する包装袋の補給方法に関する。
【背景技術】
【０００２】
従来のコンベア式包装袋供給装置として、本件出願人にかかるものが特公昭５８−２８１６６号公報、実公平３−５５３２号公報に開示されている。前者公報に記載の繰出装置は、多数の包装袋を遅い速度に設定されたベルトコンベア上に倒して重ねた状態で供給し、そのコンベアの上方に配置された大径ロールに接触する包装袋を少し早い速度で早送りし、かつ、その大径ロールよりもさらに早い速度に設定された繰り出しベルトによって先頭の包装袋を一枚ずつ前方の所定位置に送るように構成されている。また、後者公報に記載の供給装置は、先端部分に厚みをもつチャック付包装袋や薄くて湾曲し易い包装袋に適用するために前者の繰出装置を改良した構造とされている。
【０００３】
このようなコンベア式包装袋供給装置は包装機の包装能力に見合うように設計されてはいるが、包装袋供給装置のベルトコンベア上にセット可能な包装袋の枚数には当然のことながら限界があるので、ストックされた包装袋の枚数が少なくなった都度作業者によって適宜枚数の包装袋を補充しなければならない。仮に、包装能力が毎分２５〜３０袋の一般的な包装機では、通常のコンベア式包装袋供給装置における包装袋のストック可能枚数は約４００枚であるので包装袋が約１６〜１３分間で消化されてしまうことになる。このため、包装袋を人手によって頻繁に補給しなければならないが、その補給作業は非常に煩わしいものである。かかる状況から、コンベア式包装袋供給装置に対して一群の包装袋を自動的に補給する装置の開発が要望されている。
【０００４】
特開２０００−１９１１５６号公報に記載の空袋ストッカ装置は、空袋群を長手方向に沿ってストックする複数のストッカを並列に配置すると共に当該ストッカ全体を同時に横移動させる横移動手段を設け、ストックされた空袋群を包装機のコンベアマガジンに向けて搬送するベルトコンベアを各ストッカに夫々備えた構造とし、一度に多数の空袋を空袋貯留装置に供給することができるようにされている。
【０００５】
上記空袋ストッカ装置では、空袋群を供給した後の空ストッカを横移動手段によって一つずつ何れかの方向へ横移動させる構成とされていることから、作業者は、空ストッカの移動先にて空袋群を収めた通い箱から取り出した新たな空袋を補充する作業を行うことになる。しかして、その作業位置がまちまちになるため作業者の負担が増加し、通い箱を一定の場所におくことができなくて広い作業スペースを要するという問題がある。
【０００６】
因みに、包装袋のうちチャック付包装袋については、チャック部分に厚みがあるので多数の袋を同じ向きで重ねると全体の厚さが一様でなくなって通い箱に収容しにくくなる。このため、包装袋の製造会社では、図８に示すように、例えばチャック付包装袋ａを２５枚ずつ一束にしこれを交互に向きを変えた状態で通い箱ｂに４束収めて仕切り板ｃを入れ、ついでチャック付包装袋ａを２５枚ずつ一束にしこれを交互に向きを変えた状態で通い箱ｂに４束収めて仕切り板ｃを入れることを繰り返して合計１２００枚のチャック付包装袋ａを収容したものを需要者に提供している現状である。他方、需要者側では、作業者が通い箱ｂからチャック付包装袋ａを一束ずつ取り出して封を切り、袋口を前方にした状態で一束ずつ包装袋供給装置のコンベア上に補給を行なっている。
【特許文献１】実公平３−５５３２号公報
【特許文献２】特開２０００−１９１１５６号公報
【発明の開示】
【発明が解決しようとする課題】
【０００７】
本発明の目的は、包装袋供給装置に対して包装袋を一群ずつ自動的に補給することができ、作業者の労力の軽減化に寄与する包装袋の補給方法を提供することにある。
【課題を解決するための手段】
【０００８】
前記目的を達成するために請求項１に記載した発明は、包装袋供給装置のベルトコンベア上に一群の包装袋を自動的に補給する包装袋の補給方法において、
一群の包装袋を長手方向に倒して積み重ねるように載置することができる多数のマガジンと、セット位置にて該マガジンを上下方向に所定間隔をおいて保持することができると共に一群の包装袋が載置された各マガジンを下方へ順次移動させる第１移動手段と、その第１移動手段の最下位に移動したマガジンを水平方向に移送する移送手段と、その移送手段により送り込まれるマガジンを上方へ順次移動させる第２移動手段と、供給位置にて該第２移動手段により最上位に送り込まれたマガジンに載置された一群の包装袋の一側縁を押え部材によって挟持すると共に当該押え部材により挟持された包装袋を前記包装袋供給装置のベルトコンベア上に貯留される包装袋の最後尾に接続するように供給する送り込み手段と、包装袋を供給した後の空マガジンを前記セット位置まで帰還させる回送手段とを備え、前記セット位置にて一群の包装袋を第１移動手段に待機する空マガジンに載置し、その第１移動手段により最下位に移動したマガジンを移送手段によって第２移動手段まで移送し、その第２移動手段により最上位に送り込まれたマガジン内の一群の包装袋を送り込み手段によって前記ベルトコンベア上に貯留される包装袋の最後尾に接続するように供給し、ついで、包装袋が供給された後の空マガジンを回送手段により元のセット位置まで帰還させて第１移動手段により最上位に保持させることを特徴とする。
【０００９】
同様の目的を達成するために請求項２に記載した発明は、請求項１に記載の包装袋供給装置への包装袋の補給方法において、前記マガジンは、前記包装袋の幅方向を規制する左右一対の案内片の一方を起立及び倒伏自在に設けられ、その案内片を倒伏させた状態にて前記送り込み手段の押え部材によって包装袋の一側縁を挟持させることを特徴とするものである。
【００１０】
同様の目的を達成するために請求項３に記載した発明は、請求項１又は２に記載の包装袋供給装置への包装袋の補給方法において、前記包装袋がチャック付包装袋又はスパウト袋であり、かつ、多数の一群ずつまとめられたチャック付包装袋又はスパウト袋を通い箱に収容し、その通い箱からチャック付包装袋又はスパウト袋を一群ずつ取り出して前記マガジンに載置することを特徴とするものである。
【発明の効果】
【００１１】
（請求項１の発明）
この包装袋供給装置への包装袋の補給方法は、包装袋供給装置に対して包装袋を一群ずつ自動的に補給することができるので、今までの包装袋の補充作業を頻繁に行う煩わしさを解消することができる。加えて、補充作業をセット位置の一箇所で行えるので、作業スペースが少なくて済むと共に作業者の労力を軽減化することができる。
【００１２】
（請求項２の発明）
この包装袋供給装置への包装袋の補給方法によれば、マガジンの案内片を倒伏させて送り込み手段の押え部材によって包装袋の一側縁を挟持することができるので、包装袋を円滑にコンベア上に供給することができる。
【００１３】
（請求項３の発明）
この包装袋供給装置への包装袋の補給方法によれば、一群のチャック付包装袋又はスパウト袋を一度にマガジンにセットすることができるので、包装袋の補充作業を効率よく行うことができる。本願発明においては、実施例で述べるように、図８に示す従来の通い箱ｂに変えて、例えば図７に示す１００枚を一群とするチャック付包装袋１を１２群収容可能な通い箱２０を設け、この通い箱２０からチャック付包装袋を一群ずつ取り出してマガジンにセットする方法を提案している。よって、チャック付包装袋のマガジンへのセット回数に関しては、従来の通い箱によるものと比較して単純に１／４の回数で済むことになるため、補充作業を頻繁に行う煩わしさを解消することができる。
【発明を実施するための最良の形態】
【００１４】
以下に、本発明の最良の形態例を図面に基づいて説明する。図１は本発明方法を適用した包装袋の補給装置をコンベア式包装袋供給装置に付設した状態を示す平面図、図２は包装袋の補給装置におけるマガジンの流れを示す説明図、図３はチャック付包装袋が載置されたマガジンの斜視図、図４は送り込み手段により包装袋を挟持する状態を示す説明図、図５は他の形態のマガジンの斜視図、図６は送り込み手段により包装袋をベルトコンベア上に供給する状態を示す説明図、図７はチャック付包装袋が収容された本発明に関連する通い箱の説明図である。
【００１５】
本発明方法を適用した包装袋の補給装置Ｓと、この補給装置Ｓが付設されるコンベア式包装袋供給装置Ｋを図１に示す。そのコンベア式包装袋供給装置Ｋは、一般的なロータリー式包装機（一部を示す）Ｐに設置されている。本発明方法において対象とする包装袋は、平袋、自立袋、チャック付包装袋、スパウト袋等を含むが、この実施例ではチャック付包装袋を対象として説明する。図３に示すように、そのチャック付包装袋１は、チャック３が設けられた袋口２の幅を中央部分４よりも少し狭く形成し、底部５に襞（図示せず）を設けた構成とされている。
【００１６】
図１、図２において、上記包装袋の補給装置Ｓは、一群、この実施例では１００枚のチャック付包装袋１を長手方向に倒して積み重ねるように載置することができる多数のマガジン１０と、セット位置（イ）にてマガジン１０を上下方向に所定間隔をおいて保持することができると共に、一群のチャック付包装袋１が載置された各マガジン１０を下方へ順次移動させる第１移動手段（図示せず）と、その第１移動手段の最下位に移動したマガジン１０を水平方向に移送する移送手段（図示せず）と、その移送手段により送り込まれるマガジン１０を上方へ順次移動させる第２移動手段（図示せず）と、供給位置（ロ）にて第２移動手段により最上位に送り込まれたマガジン１０内の全てのチャック付包装袋１の一側縁６を押え部材１５，１５によって挟持し、その挟持されたチャック付包装袋１を包装袋供給装置Ｋのベルトコンベアｍ上に貯留されているチャック付包装袋１の最後尾に接続するように供給する送り込み手段（図示せず）と、チャック付包装袋１を供給した後の空マガジン１０を元のセット位置（イ）まで帰還させる回送手段（図示せず）とから構成とされている。
【００１７】
マガジン１０は、図３に示すように、細長い四角形の平坦面１０ａの周囲に、チャック付包装袋１の幅方向を規制する左右一対の一定高さの案内片１１ａ，１１ｂと後側片１１ｃを設けて前部と上方を開放した形態とされている。一方の案内片１１ａについては、起立及び倒伏自在でそれらの状態を保持可能に設けられている。しかして、一群のチャック付包装袋１がマガジン１０に長手方向に倒して積み重ねるように載置されて案内片１１ａを倒伏させた状態にて、送り込み手段の押え部材１５，１５によってチャック付包装袋１の一側縁を挟持させることができるように設けられている（図４）。
【００１８】
上記マガジン１０は、一方の案内片１１ａを起立及び倒伏自在に設けているが、図５に示すマガジン３０を用いることも可能である。そのマガジン３０は、細長い四角形の平坦面３０ａの周囲に左右の案内片３１ａ，３１ｂと後側片３１ｃを固定した状態に設けられている。
【００１９】
図７に示すダンボール製の通い箱２０は、一群の（１００枚ずつまとめられた）チャック付包装袋１を１２群収容することができるものであり、本発明方法に欠くことのできない新たな梱包形式の通い箱である。
【００２０】
つぎに、本発明の「包装袋供給装置への包装袋の補給方法」を図面に基づいて説明する。
（１）セット位置（イ）にて、図７に示す通い箱２０からチャック付包装袋１を一群ずつ取り出して第１移動手段に待機する空マガジン１０に長手方向に倒して積み重ねるように載置する。
（２）一群のチャック付包装袋１が載置されたマガジン１０は第１移動手段により最下位に移動し、移送手段によって供給位置（ロ）に設けられた第２移動手段まで移送される。
（３）第２移動手段により最上位に送り込まれたマガジン１０内のチャック付包装袋１は、送り込み手段の押え部材１５，１５によって各々の一側縁を挟持され、その送り込み手段によって包装袋供給装置Ｋのベルトコンベアｍ上に貯留されたチャック付包装袋１の最後尾に接続するように供給される。
（４）ついで、空マガジン１０は、回送手段により元のセット位置（イ）まで帰還させて第１移動手段により最上位に保持される。
上記（１）〜（４）の作業工程を連続的に繰り返すことにより、包装袋供給装置Ｋに対してチャック付包装袋１が一群ずつ自動的に補給される。
【００２１】
なお、ロータリー式包装機Ｐについては、多数のグリップ対ｇを回転体の放射方向に突設し、供給されるチャック付包装袋１を各グリップ対ｇにより順次吊り下げ状に掴んで開口ステーション、充填ステーション、袋口シールステーション等の各ステーションに間欠移動させつつ、所定量の被包装物を１工程の停止時間内に充填し、袋口２を施封したチャック付包装袋１を機外に排出する公知の構成とされている。その包装機の一例として、本件出願人にかかるものが特公昭５７−２９３３２号の第１図に掲載されている。
【００２２】
以上に述べた通り、この包装袋供給装置への包装袋の補給方法によれば、包装袋供給装置に対して包装袋を一群ずつ自動的に補給することができるので、今までの包装袋の補充作業を頻繁に行う煩わしさを解消することができ、補充作業をセット位置の一箇所で行えるので、作業スペースが少なくて済むと共に作業者の労力を軽減化することができる。
【図面の簡単な説明】
【００２３】
【図１】本発明方法を適用した包装袋の補給装置をコンベア式包装袋供給装置に付設した状態を示す平面図
【図２】包装袋の補給装置におけるマガジンの流れを示す説明図
【図３】チャック付包装袋が載置されたマガジンの斜視図
【図４】送り込み手段により包装袋を挟持する状態を示す説明図
【図５】他の形態のマガジンの斜視図
【図６】送り込み手段により包装袋をベルトコンベア上に供給する状態を示す説明図
【図７】チャック付包装袋が収容された本発明に関連する通い箱の説明図
【図８】チャック付包装袋が収容された従来の通い箱の説明図
【符号の説明】
【００２４】
Ｓ・・・包装袋の補給装置
１・・・チャック付包装袋（包装袋）
２・・・袋口
１０・・・マガジン
１１ａ，１１ｂ・・・案内片
１５・・・（送り込み手段の）押え部材
２０・・・通い箱
Ｋ・・・コンベア式包装袋供給装置
ｍ・・・ベルトコンベア
Ｐ・・・ロータリー式包装機
【図１】
2006347585.tif 000003
【図２】
2006347585.tif 000004
【図３】
2006347585.tif 000005
【図４】
2006347585.tif 000006
【図５】
2006347585.tif 000007
【図６】
2006347585.tif 000008
【図７】
2006347585.tif 000009
【図８】
2006347585.tif 000010